(57)【特許請求の範囲】
【請求項１】
椅子用座の支持構造体であって、
基体と、
前記基体の前方に設けられ、前記椅子用座の座面を支持する座面取付部と、
前記基体の後方に設けられ、前記椅子用座の背もたれを支持する背もたれ取付部と、
前記座面取付部と前記背もたれ取付部とを同調して傾動させるシンクロロッキング機構と、
前記基体の下面に固定されたスライド機構と、を備え、
前記基体がその下面前方に前記シンクロロッキング機構の強弱を調節する調節ノブを有し、
前記スライド機構が、
前記基体の下面に固定され、着座前後方向に一対のレールを有するベース部と、
前記ベース部の前記一対のレールに摺動可能に受容され、底板を有するスライダー部と、
前記ベース部と前記スライダー部との間にあって前記レールと実質的に同一水平面上に架設され、前記スライダー部を着座後方向へ付勢する付勢部と、を有し、
前記スライダー部の前記底板が、前記スライダー部が着座前方向へ摺動したときに前記調節ノブを回避するように、その前方端において少なくとも一部に切り欠き部を有することを特徴とする支持構造体。
【請求項２】
さらに、前記座面を昇降させる昇降手段を備え、
前記昇降手段が、
前記ベース部に回動可能に設けられた開閉部と、
前記開閉部から前記ベース部の外側へ前記切り欠き部を経由して延在する操作レバーと、を有し、
前記開閉部が前記付勢部と実質的に同一水平面上に設けられていることを特徴とする請求項１に記載の支持構造体。
【請求項３】
椅子であって、
椅子用座と、
前記椅子用座を支持する請求項１又は２に記載の支持構造体と、
前記支持構造体に取り付けられた脚部と、を備えることを特徴とする椅子。
【発明の詳細な説明】
【技術分野】
【０００１】
本発明は、椅子用座の支持構造体及びそれを備える椅子に関する。
【背景技術】
【０００２】
パチンコ、パチスロ、ゲームなどの遊技場では、これらの遊技機が並設された遊技島同士の間の空間を遊技者などがスムースに通行し易いようにするため、遊技者が着座していないときには座席が前方すなわち遊技機に近接した位置を自動的にとるように付勢された椅子が設置されていることがある。遊技者は、着座すると、体重をかけて座席を後方すなわち遊技機から離間した適当な位置をとるようにすることができる。
【０００３】
特許文献１は、脚部の先端部に設けたベース部材にスライド部材を前後方向へスライド可能に設け、併せて、このスライド部材を座部に対して回動可能に設けた例を示している。そして、ベース部材とスライド部材との間には引張コイルばねが、スライド部材と座部との間には圧縮コイルばねがそれぞれ介在しており、座部に腰掛けると、圧縮コイルばねが収縮して座部が後傾斜し、この状態で体重を移動させると、スライド部材がスライドして座部の前後位置が変化するようになっている。
【０００４】
しかしながら、この椅子の支持構造体では、ベース部材とスライド部材との間の引張コイルばね（付勢部材）が収納されたスペースと、腰掛けた際にスライド部材と座部との間の圧縮コイルばね（弾性部材）が収縮して座部が後傾斜する際の回動軸が設けられたスペースとが上下二段となっており、かさばったものとなるという課題がある。また、この椅子の支持構造体は、座面と背もたれとが一体的に動く背・座ロッキング機構となっており、座面と背もたれが独立的に同調して動くシンクロロッキング機構に対応するものではない。
【先行技術文献】
【特許文献】
【０００５】
【特許文献１】特開平９−７５１７１号公報
【発明の概要】
【発明が解決しようとする課題】
【０００６】
そこで、本発明は、以上のような事情に鑑みてなされたものであり、その目的は、シンクロロッキング機構及びスライド機構を備えつつ、かさばらない椅子用座の支持構造体、及びそれを備える椅子を提供することにある。
【課題を解決するための手段】
【０００７】
上記課題を解決するため、本発明は、以下のような解決手段を提供する。
【０００８】
（１）本発明に係る第１の観点は、椅子用座の支持構造体であって、基体と、前記基体の前方に設けられ、前記椅子用座の座面を支持する座面取付部と、前記基体の後方に設けられ、前記椅子用座の背もたれを支持する背もたれ取付部と、前記座面取付部と前記背もたれ取付部とを同調して傾動させるシンクロロッキング機構と、前記基体の下面に固定されたスライド機構と、を備え、前記基体がその下面前方に前記シンクロロッキング機構の強弱を調節する調節ノブを有し、前記スライド機構が、前記基体の下面に固定され、着座前後方向に一対のレールを有するベース部と、前記ベース部の前記一対のレールに摺動可能に受容され、底板を有するスライダー部と、前記ベース部と前記スライダー部との間にあって前記レールと実質的に同一水平面上に架設され、前記スライダー部を着座後方向へ付勢する付勢部と、を有し、前記スライダー部の前記底板が、前記スライダー部が着座前方向へ摺動したときに前記調節ノブを回避するように、その前方端において少なくとも一部に切り欠き部を有することを特徴とする。
【０００９】
（２）上記（１）において、さらに、前記座面を昇降させる昇降手段を備え、前記昇降手段が、前記ベース部に回動可能に設けられた開閉部と、前記開閉部から前記ベース部の外側へ前記切り欠き部を経由して延在する操作レバーと、を有し、前記開閉部が前記付勢部と実質的に同一水平面上に設けられていてもよい。
【００１０】
（３）本発明に係る第２の観点は、椅子であって、椅子用座と、前記椅子用座を支持する請求項１又は２に記載の支持構造体と、前記支持構造体に取り付けられた脚部と、を備えることを特徴とする。
【発明の効果】
【００１１】
本発明によれば、シンクロロッキング機構及びスライド機構を備えつつ、かさばらない椅子用座の支持構造体、及びそれを備える椅子を提供することができる。
【図面の簡単な説明】
【００１２】
【図１】本発明の第１実施形態に係る支持構造体を備えた椅子の一例を示す側面図である。
【図２】本発明の第１実施形態に係る支持構造体の側面図である。
【図３】本発明の第１実施形態に係る支持構造体を下側からみた斜視図である。
【図４】本発明の第１実施形態に係る支持構造体の平面図である。
【図５】本発明の第１実施形態に係る支持構造体の図４のＡ−Ａ線断面図である。
【図６】本発明の第１実施形態に係る支持構造体の底面図であって、スライダー部が前方にスライドしたときの図である。
【図７】本発明の第１実施形態に係る支持構造体の図４のＢ−Ｂ線断面図である。
【図８】本発明の第２実施形態に係る支持構造体の底面図である。
【図９】本発明の第２実施形態に係る支持構造体の底面図であって、スライダー部がスライドしたときの図である。
【発明を実施するための形態】
【００１３】
以下、添付図面を参照して、本発明を実施するための形態（以下、実施形態という）について詳細に説明する。なお、実施形態の説明の全体を通して同じ要素には同じ番号を付している。
【００１４】
＜第１実施形態＞
図１は、第１実施形態に係る支持構造体１０を備えた椅子１００を示している。椅子１００は、大別すると、支持構造体１０の上面に取り付けられた椅子用座２０と、支持構造体１０の下面に取り付けられた脚部３０と、を備えている。
【００１５】
椅子用座２０は、図１に示すように、座面２１と、背もたれ２２とを有しており、座面２１と背もたれ２２は、互いに独立するとともに同調してロッキングが可能なシンクロロッキング機構１４を備えている。シンクロロッキング機構１４とは、人間が背もたれ２２にもたれた場合に、座面２１が背もたれ２２と一体的に後傾するのではなく、まず背もたれ２２のみが後傾し、遅れて座面２１が背もたれ２２よりも小さい角度で後傾するように構成されたものである。背もたれ２２と座面２１の後傾角度は、その比率を２対１〜５対１などと区別することができ、このようにすると、背もたれ２２にもたれた際に、臀部や大腿部に不快なずれを生じさせることなく、また爪先が床から浮いてしまうことを防止できる。シンクロロッキング機構１４については、後述する。
【００１６】
背もたれ２２には、その背面に、遊技者に対する案内や各種広告などを挿入するポケット２２ａを設けてもよい。なお、図１で示した座面２１と背もたれ２２の形状やサイズなど具体的な態様は、例示されたものであって、これらに限定されるものではない。
【００１７】
脚部３０は、脚柱３１と、台座３２とを有しており、脚柱３１は台座３２に嵌着されている。本発明は、脚柱３１が上下方向に昇降手段を備えないタイプにも、昇降手段を備えるタイプにも適用できるが、第１実施形態に係る支持構造体１０は、昇降手段を備えないタイプである。昇降手段を備えるタイプについては、第２実施形態として後述する。なお、脚部３０の形状やサイズなど具体的な態様は、図１に図示されたものに限定されるものではない。例えば、図１では、台座３２が床面に固定された態様として示しているが、第１実施形態は、固定式の椅子１００のみならず、キャスターの着いた移動可能な椅子についても、適用可能である。
【００１８】
次に、図２から図７を参照して、支持構造体１０について、詳しく説明する。図２は支持構造体１０の側面図、図３は支持構造体１０の底面からみた斜視図である。図２に示すように、支持構造体１０は、基体１１と、椅子用座２０の座面２１を取り付ける座面取付部１２と、背もたれ２２を取り付ける背もたれ取付部１３と、基体１１に組み込まれたシンクロロッキング機構１４と、基体１１の下面に取り付けられたスライド機構１５と、を備えている。そして、基体１１の下面前方にはシンクロロッキング機構１４のロッキングの強弱つまり固さを調節する調節ノブ１４１が設けられている。なお、図２において、支持構造体１０以外の部材については、模式的に破線で示すに止める。
【００１９】
まず、シンクロロッキング機構１４について、説明する。シンクロロッキング機構１４は、図２及び図３に示すように、基体１１に座面取付部１２を回動可能に軸着する第１の軸１１１と、基体１１に背もたれ取付部１３を回動可能に軸着する第２の軸１１２と、座面取付部１２に背もたれ取付部１３を回動可能に軸着する第３の軸１１３とから、主に構成されている。
【００２０】
このように構成することにより、座面取付部１２に取り付けられた座面２１と、背もたれ取付部１３に取り付けられた背もたれ２２が、独立してかつ同調して傾動可能となる。すなわち、背もたれ２２が着座者の体重によって後傾すると、背もたれ取付部１３の右端が、第２の軸１１２を中心として、下方に向かって下がる。そのとき、座面取付部１２の右端がワンテンポ遅れる形で下方に下がり、反対に、座面取付部１２の左端は第１の軸１１１を中心として上方に向かって上がることとなる。
【００２１】
この一連の動作によって、背もたれ２２が後傾したとき、座面２１は背もたれ２２と一体的に後傾するのではなくワンテンポ遅れて後傾することとなり、しかも、背もたれ２２の後傾角度よりも小さい範囲で、座面２１の着座者の臀部に対応する部分は下方に沈み込み、大腿部に対応する部分は上方に持ち上がることとなる。
【００２２】
図４は、支持構造体１０を上側すなわち座面２１側からみた平面図であり、図５は図４のＡ−Ａ線断面図（縦断面）を示している。基体１１の下面前方に設けられている、シンクロロッキング機構１４のロッキングの強弱つまり固さを調節するための調節ノブ１４１は、図５に示すように、その内部にスプリング１４１ａと、当接棒１４１ｂと、スプリング１４１ａを圧縮又は開放するツマミ１４１ｃを備えている。
【００２３】
当接棒１４１ｂは座面２１の底面に当接しているため、ツマミ１４１ｃを時計回りに回すことによってスプリング１４１ａは圧縮されることとなる。そうすると、基体１１が締め付けられることにより、第１の軸１１１が回動し難くなり、ひいては、シンクロロッキング機構１４の全体が固められることとなり、ロッキングするためにはより大きな力を要する。逆に、ツマミ１４１ｃを反時計回りに回すとスプリング１４１ａは開放されることとなる。そうすると、基体１１の締め付けがなくなることにより、第１の軸１１１が回動し易くなり、ひいては、シンクロロッキング機構１４の全体が緩められ、ロッキングするためにはより小さな力ですむことになる。
【００２４】
なお、第１実施形態では上記したようなシンクロロッキング機構１４の構成をとっているが、この構成に限られるものではない。このほかの公知の構成を採用してもよい。例えば、座面取付部１２と背もたれ取付部１３とを離間した位置に配置して両者をリンク部材によって接続するようにしてもよい。要は、支持構造体１０が、座面２１が取り付けられる座面取付部１２と、背もたれ２２が取り付けられる背もたれ取付部１３が独立してかつ同調して後傾するように構成されたシンクロロッキング機構であれば第１実施形態に採用することができる。
【００２５】
次に、スライド機構１５について、説明する。スライド機構１５は、図２、図３及び図５に示すように、基体１１の下面に固定され、着座前後方向の両面下方に一対のレール１５１ａを有するベース部１５１と、ベース部１５１のレール１５１ａに摺動可能に受容されたスライダー部１５２と、ベース部１５１とスライダー部１５２との間にあってレール１５１ａと実質的に同一水平面上に架設され、スライダー部１５２を着座後方向へ付勢する引張コイルスプリング（付勢部）１５３を有している。
【００２６】
ベース部１５１は、その前方端すなわちシンクロロッキング機構１４の調節ノブ１４１の存する側の先端において、一対のレール１５１ａについては短縮することなく、中央部のみを切り欠いている。これは、後述するスライダー部１５２を支持する一対のレール１５１ａの十分な区間を確保しつつ、調節ノブ１４１との当接を回避するためのものである。このようにすると、スライド機構１５の前後方向の長さを短縮でき、ひいては支持構造体１０の全体を小型化することができる。
【００２７】
スライダー部１５２は、一対のレール１５１ａに摺動可能に支持されており、外力が加えなられない状態において、引張コイルスプリング（付勢部）１５３によって後方に付勢されており、反対に座面２１は前方に付勢されている。着座者は座面２１を着座後方向にずらして座ることにより、遊技機に対して自らの好みに応じた位置をとることができる。そして、着座者が離席すると、引張コイルスプリング１５３の付勢力によってスライダー部１５２は着座後方向に下がり、ひいては座面２１は着座前方向に復帰することとなる。このスライドの動作は、前述したシンクロロッキングの動作と併せて行うことができるのはもちろんである。
【００２８】
スライダー部１５２は、ベース部１５１と同様に、その前方端すなわちシンクロロッキング機構１４の調節ノブ１４１の存する側の先端において、一対のレール１５１ａに嵌合される部分については短縮することなく、中央に切り欠き部を有している。これは、一対のレール１５１ａに支持されるのに十分な区間を確保しつつ、スライダー部１５２が着座前方向へ摺動したときに調節ノブ１４１との当接を回避するためのものである。このようにすると、ベース部１５１の短縮化と相まって、スライド機構１５の前後方向の長さを短縮でき、ひいては支持構造体１０の全体を小型化することができる。なお、前方端の切り欠き部の形状を含むスライダー部１５２の形状は、図示されたものに限られることはなく、例えば、切り欠き部の先端の形状は、実質上直線としたり、前方側に凸又は凹形状としたりすてもよい。この形状は、調節ノブ１４１との位置関係や、後述する座面２１を昇降する際に用いる操作レバーとの関係などを考慮して、前方端の少なくとも一部が切り欠き部を有するように決定することができる。
【００２９】
図６は、スライダー部１５２が前方端すなわちシンクロロッキング機構１４の調節ノブ１４１の存する側の先端に近接した状態を示している。スライダー部１５２とベース部１５１との間に架設された引張スプリングコイル１５３が伸張しており、スライダー部１５２は後方に付勢されていることとなる。そして、スライダー部１５２の先端は調節ノブ１４１と当接しないようにそれを回避している。
【００３０】
ここで、引張コイルスプリング１５３が架設されている上下方向の位置について、説明する。図７に示すように、第１実施形態では、引張コイルスプリング１５３は、ベース部１５１の一対のレール１５１ａの間にそれらと実質的に同一水平面上に架設されている。この点、従来の支持構造体では、引張コイルスプリングがベース部の一対のレールの間ではなく一対のレールよりもさらに下方に設けられており、上下方向にかさばる構造となっていた。これに対し、第１実施形態では、引張コイルスプリング１５３は、ベース部１５１の一対のレール１５１ａの間にそれらと実質的に同一水平面上に架設されていることから、上下方向に非常にコンパクトな支持構造体１０を提供することができる。
【００３１】
スライダー部１５２は、その下面に底板１５２ａを有しており、底板１５２ａのほぼ中央には、脚柱３１を挿入するための挿入口１５２ｂが設けられている。前述したように、脚部３０は昇降手段を備えないタイプであっても昇降手段を備えるタイプであってもよいが、後者を採用した場合における支持構造体１０の構成を、第２実施形態として以下に説明する。
【００３２】
＜第２実施形態＞
第２実施形態は、第１実施形態に加えて、脚部３０を上下方向に昇降させる昇降手段を備える構成としたものである。昇降手段としては機械的な構造を採用することもできるが、スムースな動作の観点から、ここでは、ガス圧式を好適に採用している。ガス圧式としては、一般的に知られている構成を採用することができるが、例えば、脚柱３１を内筒３１ａ、外筒３１ｂを外筒とするガスシリンダー構造とし、内部に充填されたガスを圧縮させたり膨張させたりして座面２１を昇降させるものである。
【００３３】
昇降手段を備えるタイプの脚部３０としてガス圧式のものを採用した際には、スライダー部１５２の挿入口１５２ｂにはガスシリンダーの内筒３１ａの上端が挿入される。内筒３１ａの上端にはプッシュピン（図示せず）が突出しており、例えばこれを押し下げると内筒３１ａ内部のガスが開かれた弁から外筒３１ｂの内部へ移動し、そこで体重をかけると、ガスが圧縮されて座面２１が降下する。図８は、このプッシュピンを押し下げるための開閉部１４２と、開閉部１４２を操作する操作レバー１４３を設けた支持構造体１０を示したものである。開閉部１４２は、挿入口１５２ｂからベース部１５１の内部に突出したプッシュピンの上方に位置している。開閉部１４２は、その断面形状が略Ｌ字型となっており、操作レバー１４３を持ち上げていない状態では横断面視において下側に向かって山型となっているが、操作レバー１４３を持ち上げると、Ｌ字型が縦長辺の部分がスライダー部１５２に対して水平となり、内筒３１ａから突出するプッシュピンを押し下げることとなる。
【００３４】
ここで、第２実施形態では、第１実施形態と同様に、スライド機構１５のベース部１５１及びスライダー部１５２ともに、前方端の中央において切り欠き部を有しているが、脚部３０としてガス圧式のものを採用したとき、その操作レバー１４３は、それらの切り欠き部によって形成された空間を経由してベース部１５１の外側へ延在するように配置することができる。さらに、開閉部１４２は、ベース部１５１の内部に、図６に示されている引張コイルスプリング１５３の脇に、すなわち実質的に同一水平面上に設けられており、ガス圧式の脚部３０を適用した場合でも、支持構造体１０は、上下方向にコンパクトであることを維持することができる。
【００３５】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【００３６】
例えば、シンクロロッキング機構１４やスライド機構１５において、着座者の希望に応じ、ロッキング位置やスライド位置を一時的に固定する手段を設けることもできる。
【符号の説明】
【００３７】
１０…支持構造体、１１…基体、１１１…第１の軸、１１２…第２の軸、１１３…第３の軸、１１４…長穴、１２…座面取付部、１３…背もたれ取付部、１４…シンクロロッキング機構、１４１…調節ノブ、１４１ａ…スプリング、１４１ｂ…当接棒、１４１ｃ…ツマミ、１４２…開閉部、１４３…操作レバー、１５…スライド機構、１５１…ベース部、１５１ａ…一対のレール、１５２…スライダー部、１５２ａ…底板、１５２ｂ…挿入口、１５３…引張コイルスプリング（付勢部）、２０…椅子用座、２１…座面、２２…背もたれ、２２ａ…ポケット、３０…脚部、３１…脚柱、３１ａ…内筒、３１ｂ…外筒、３２…台座、１００…椅子
【図１】
0006462442.tif 000002
【図２】
0006462442.tif 000003
【図３】
0006462442.tif 000004
【図４】
0006462442.tif 000005
【図５】
0006462442.tif 000006
【図６】
0006462442.tif 000007
【図７】
0006462442.tif 000008
【図８】
0006462442.tif 000009
【図９】
0006462442.tif 000010